(57)【要約】【課題】入力画像の取り込み開始位置を各入力チャンネル毎に簡単に調整できるものでありながら、表示すべき入力画像全体を確実に表示することの出来る、マルチシグナルマトリクススイッチャの提供。【解決手段】取り込み開始位置調整手段１０により調整された入力画像の取り込み開始位置についての表示位置パラメータが、表示位置パラメータ格納手段１１により入力チャンネル毎に区別して格納され、取り込み開始位置補正手段２０Ａ、２０Ｂ、２０Ｃにより、映像出力ラインを構成する入力チャンネルに応じた表示位置パラメータに基づいて、入力画像の取り込み開始位置が補正される。これにより、入力画像が表示エリアに対してずれのない出力画像を直ちに表示することが出来、簡単な調整操作でありながら、スムーズな映像表現が可能となり、効果的なプレゼンテーションを実現することが出来る。【選択図】  図２
2004254172.tif 000002
【特許請求の範囲】
【請求項１】
画像信号が入力される複数の入力チャンネルを有し、画像信号が出力される少なくとも１個の出力チャンネルを有し、それら入力チャンネルと出力チャンネルの間に、特定の前記出力チャンネルと特定の前記入力チャンネルを接続することにより構成される映像出力ラインを複数組、構築する、スイッチング手段を設けた、マルチシグナルマトリクススイッチャにおいて、
オペレータからの入力を受け付ける入力手段を設け、
前記出力チャンネルに接続される映像出力装置による出力画像の表示エリアに対して、前記各入力チャンネルから入力される画像信号の入力画像の取り込み開始位置を、前記入力チャンネル毎に、前記入力手段からの信号に応じて調整し得る、取り込み開始位置調整手段を設け、
前記取り込み開始位置調整手段により前記入力チャンネル毎に調整された入力画像の取り込み開始位置についての表示位置パラメータを、前記入力チャンネル毎に区別して格納する、表示位置パラメータ格納手段を設け、
前記スイッチング手段により構築された映像出力ラインを構成する入力チャンネルに応じて、前記表示位置パラメータを前記表示位置パラメータ格納手段から読み出す、対応入力チャンネルパラメータ読み出し手段を設け、
前記対応入力チャンネルパラメータ読み出し手段が読み出した表示位置パラメータに基づいて、前記スイッチング手段により構築された映像出力ラインを構成する入力チャンネルの入力画像の取り込み開始位置を補正する、取り込み開始位置補正手段を設けたことを特徴とする、マルチシグナルマトリクススイッチャ。
【請求項２】
前記対応入力チャンネルパラメータ読み出し手段は、前記スイッチング手段により構築された映像出力ラインを構成する入力チャンネルを検知する、対応入力チャンネル検知手段を有することを特徴とする、請求項１記載のマルチシグナルマトリクススイッチャ。
【請求項３】
前記取り込み開始位置調整手段により前記入力画像の取り込み開始位置を前記入力手段からの信号に応じて調整することの出来る、調整メニュー画像を生成し、該生成した調整メニュー画像を前記出力チャンネルに接続される映像出力装置に表示するように制御する、調整メニュー画像生成・表示制御手段を設けたことを特徴とする、請求項１記載のマルチシグナルマトリクススイッチャ。
【請求項４】
前記表示位置パラメータは、前記入力画像の水平座標についての補正量と、前記入力画像の垂直座標についての補正量とを有し、
前記取り込み開始位置調整手段は、前記入力画像の取り込み開始位置を、前記入力画像の水平座標と、前記入力画像の垂直座標とに個別に調整し得ることを特徴とする、請求項１記載のマルチシグナルマトリクススイッチャ。
【発明の詳細な説明】
【０００１】
【発明の属する技術分野】
本発明は、複数の入力チャンネルから入力される、ＲＧＢなどの複数種類の画像信号を、出力チャンネルに接続する映像出力装置に出力することの出来る、マルチシグナルマトリクススイッチャに関する。
【０００２】
【従来の技術】
従来、この種のマルチシグナルマトリクススイッチャは、特定の映像入力ソースと特定の映像出力装置を接続して映像出力ラインを構築し、映像入力ソースからの各種の信号をスキャンコンバータする機能を有している。これにより、複数の映像入力を同時に複数の映像出力装置に出力して、しかも簡単な操作で映像出力ラインを切り替えながら、多様な映像表現を可能とすることが出来、効果的なプレゼンテーションを実現することが出来る。
【０００３】
【発明が解決しようとする課題】
ところで、上述したマルチシグナルマトリクススイッチャは、映像入力ソースの表示すべき画像全体を表示することが出来ない場合があった。例えば、取り込まれた入力画像ＩＰ（破線枠内）が、図５に示すように、映像出力装置の表示エリアＡＲ（実線枠内）と一致せず、例えば図中右下方にずれてしまうと、入力画像ＩＰの一部（斜線部分）が欠けた映像が表示される場合があった。このため、表示すべき入力画像ＩＰ全体を表示させるために、入力画像ＩＰの取り込み開始位置ＳＰＩＰを、表示エリアＡＲに対して適宜調整する必要があった。
【０００４】
しかし、上記入力画像ＩＰのずれ量は、映像入力ソースである入力機器の機種や特性などにより異なるため、入力チャンネルを切り替えるたびに、上記取り込み開始位置ＳＰＩＰを調整する必要があり、調整に要する操作が極めて煩雑であった。このため、スムーズな映像表現をすることが出来ず、効果的なプレゼンテーションを行なえない不都合があった。
【０００５】
特に、ＰＣ（パーソナルコンピュータ）などから入力されるＲＧＢ信号は、テレビ放送に用いられるＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）信号と異なり、画像の隅に、例えばＧＵＩ（Ｇｒａｐｈｉｃａｌ  Ｕｓｅｒ  Ｉｎｔｅｒｆａｃｅ）としてアイコンやメニューバーなどの重要な情報が配置されているため、これらの情報が表示されない場合があり、更に、上述した効果的なプレゼンテーションが行なえない不都合があった。
【０００６】
本発明は、上記した事情を鑑み、表示エリアに対する入力画像の取り込み開始位置を、各入力チャンネル毎に簡単な操作で調整して、表示すべき入力画像全体を確実に表示することの出来る、マルチシグナルマトリクススイッチャを提供することを目的とするものである。
【０００７】
【課題を解決するための手段】
請求項１の発明は、画像信号が入力される複数の入力チャンネル（Ａ、Ｂ、Ｃ、Ｄ、Ｅ、Ｆ、Ｇ、Ｈ）を有し、画像信号が出力される少なくとも１個の出力チャンネル（Ｉ、Ｊ、Ｋ）を有し、それら入力チャンネルと出力チャンネルの間に、特定の前記出力チャンネル（例えば、出力チャンネルＩ（出力１））と特定の前記入力チャンネル（例えば、入力チャンネルＣ（入力３））を接続することにより構成される映像出力ラインを複数組、構築する、スイッチング手段（７）を設けた、マルチシグナルマトリクススイッチャ（１）において、
オペレータからの入力を受け付ける入力手段（例えば１７）を設け、
前記出力チャンネルに接続される映像出力装置による出力画像の表示エリア（ＡＲ）に対して、前記各入力チャンネルから入力される画像信号の入力画像（ＩＰ）の取り込み開始位置（ＳＰＩＰ）を、前記入力チャンネル毎に、前記入力手段（例えば１７）からの信号に応じて調整し得る、取り込み開始位置調整手段（１０）を設け、
前記取り込み開始位置調整手段（１０）により前記入力チャンネル毎に調整された入力画像の取り込み開始位置（ＳＰＩＰ）についての表示位置パラメータ（ＤＰ）を、前記入力チャンネル毎に区別して格納する、表示位置パラメータ格納手段（１１）を設け、
前記スイッチング手段（７）により構築された映像出力ラインを構成する入力チャンネルに応じて、前記表示位置パラメータ（ＤＰ）を前記表示位置パラメータ格納手段（１１）から読み出す、対応入力チャンネルパラメータ読み出し手段（２０Ａ、２０Ｂ、２０Ｃ）を設け、
前記対応入力チャンネルパラメータ読み出し手段（２０Ａ、２０Ｂ、２０Ｃ）が読み出した表示位置パラメータ（ＤＰ）に基づいて、前記スイッチング手段（７）により構築された映像出力ラインを構成する入力チャンネルの入力画像の取り込み開始位置（ＳＰＩＰ）を補正する、取り込み開始位置補正手段（２０Ａ、２０Ｂ、２０Ｃ）を設けることを特徴として構成される。
【０００８】
請求項２の発明は、前記対応入力チャンネルパラメータ読み出し手段は、前記スイッチング手段（７）により構築された映像出力ラインを構成する入力チャンネルを検知する、対応入力チャンネル検知手段（２０Ａ、２０Ｂ、２０Ｃ）を有することを特徴として構成される。
【０００９】
請求項３の発明は、前記取り込み開始位置調整手段（１０）により前記入力画像の取り込み開始位置（ＳＰＩＰ）を前記入力手段（例えば１７）からの信号に応じて調整することの出来る、調整メニュー画像（ＭＥＮＵ）を生成し、該生成した調整メニュー画像（ＭＥＮＵ）を前記出力チャンネルに接続される映像出力装置に表示するように制御する、調整メニュー画像生成・表示制御手段を設けることを特徴として構成される。
【００１０】
請求項４の発明は、前記表示位置パラメータ（ＤＰ）は、前記入力画像（ＩＰ）の水平座標についての補正量（ＮＨ）と、前記入力画像（ＩＰ）の垂直座標についての補正量（ＮＶ）とを有し、
前記取り込み開始位置調整手段（１０）は、前記入力画像の取り込み開始位置（ＳＰＩＰ）を、前記入力画像の水平座標と、前記入力画像の垂直座標とに個別に調整し得ることを特徴として構成される。
【００１１】
【発明の効果】
請求項１の発明によれば、取り込み開始位置調整手段（１０）により調整された、入力画像の取り込み開始位置（ＳＰＩＰ）についての表示位置パラメータ（ＤＰ）が、表示位置パラメータ格納手段（１１）により入力チャンネル毎に区別して格納され、映像出力ラインの構築時には、取り込み開始位置補正手段（２０Ａ、２０Ｂ、２０Ｃ）により、格納された表示位置パラメータ（ＤＰ）に基づいて、入力画像の取り込み開始位置（ＳＰＩＰ）が補正されるので、予め入力チャンネル毎に表示位置パラメータ（ＤＰ）を格納することにより、プレゼンテーションの本番で入力画像の取り込み開始位置（ＳＰＩＰ）をいちいち調整することなく、入力画像（ＩＰ）が表示エリア（ＡＲ）に対してずれのない出力画像（ＯＰ）を、直ちに映像出力装置に表示させることが出来る。これにより、簡単な調整操作でありながら、スムーズな映像表現が可能となり、より効果的なプレゼンテーションを実現することが出来る。
【００１２】
特に、入力チャンネルからの画像信号がＰＣなどのＲＧＢ信号の場合、ＧＵＩとして画像の隅に表示される、例えばアイコンやメニューバーなどの重要な情報が欠けることなく表示されるので、オペレータは誤りなく操作を行なうことが出来、更に効果的なプレゼンテーションを実現することが出来る。
【００１３】
請求項２の発明によれば、対応入力チャンネル検知手段（２０Ａ、２０Ｂ、２０Ｃ）により、スイッチング手段（７）により構築された映像出力ラインを構成する入力チャンネルが検知されるので、プレゼンテーションの本番で入力チャンネルを切り替えても、対応入力チャンネルパラメータ読み出し手段（２０Ａ、２０Ｂ、２０Ｃ）が、当該入力チャンネルに応じた表示パラメータ（ＤＰ）を確実に読み出し、表示すべき入力画像（ＩＰ）全体を確実に表示することの出来る。
【００１４】
請求項３の発明によれば、出力チャンネルに接続される映像出力装置により、調整メニュー画像（ＭＥＮＵ）が表示されるので、オペレータは、表示された調整メニュー画像（ＭＥＮＵ）を見ながら、入力画像の取り込み開始位置（ＳＰＩＰ）を調整することが出来、取り込み開始位置（ＳＰＩＰ）の調整における操作性を向上することが出来る。
【００１５】
請求項４の発明によれば、オペレータは、入力画像の取り込み開始位置（ＳＰＩＰ）を、入力画像の水平座標と、入力画像の垂直座標とに個別に調整することが出来るので、取り込み開始位置（ＳＰＩＰ）の調整をきめ細かく行なうことが出来る。
【００１６】
なお、括弧内の番号などは、図面における対応する要素を示す便宜的なものであり、従って、本記述は図面上の記載に限定拘束されるものではない。
【００１７】
【発明の実施の形態】
図１は、本発明が適用される、マルチシグナルマトリクススイッチャの一例を示す外観図、図２はマルチシグナルマトリクススイッチャの回路構成の一例を示すブロック図、図３は、オンスクリーンメニューの一例を示す図、図４は、調整メニューが表示された、入力画像の取り込み開始位置がずれた出力画像の一例を示す図、図５は、入力画像の取り込み開始位置がずれた出力画像の一例をを示す図である。
【００１８】
図１は、マルチシグナルマトリクススイッチャ１の外観を示している。マルチシグナルマトリクススイッチャ１は、図１に示すように、筐体２を有しており、筐体２の正面には、操作パネル２ａが設けられている。操作パネル２ａには、各８個づつの押しボタンスイッチから構成される、第１出力チャンネルボタン群３、第２出力チャンネルボタン群５、第３出力チャンネルボタン群６が設けられている。各出力チャンネルボタン群３、５、６は、マルチシグナルマトリクススイッチャ１の、Ｉ、Ｊ、Ｋの３個の出力チャンネル（図２で、出力１、出力２、出力３と表示）にそれぞれ対応している。なお、出力チャンネルの数は、任意であり、何チャンネル設けられていても良い。その場合、設けられた出力チャンネルの数だけ、出力チャンネルボタン群が設けられる。
【００１９】
図２はマルチシグナルマトリクススイッチャ１の回路構成の一例を示している。入力チャンネルは、図２に示すように、Ａ、Ｂ、Ｃ、Ｄ、Ｅ、Ｆ、Ｇ、Ｈの８チャンネル設けられており、図中、入力１、入力２……入力８と表示されている。この８つの入力チャンネルが、図１に示す各出力チャンネルボタン群３、５、６の８個に対応しており、８個の入力チャンネルと３個の出力チャンネルにより、合計２４個の押しボタンスイッチから成るマトリクスが構成されている。なお、入力チャンネル数も、出力チャンネル数と同様に任意であり、２チャンネル以上、何チャンネル設けてもよい。
【００２０】
いま、各出力チャンネルボタン群３、５、６を構成する押しボタンスイッチを入力チャンネルの数に対応させて、Ａ（入力１）、Ｂ（入力２）、Ｃ（入力３）、Ｄ（入力４）、Ｅ（入力５）、Ｆ（入力６）、Ｇ（入力７）、Ｈ（入力８）の８つのアルファベット記号で区分し、次に、出力チャンネルを表示する数字を付けてそれらの押しボタンスイッチを区別すると、図１に示すように表示される。例えば、Ａ１は、入力チャンネルがＡ（入力１）で出力チャンネルがＩ（出力１）に対応する押しボタンスイッチであり、Ｂ３は、入力チャンネルがＢ（入力２）で出力チャンネルがＫ（出力３）に対応する押しボタンスイッチであり、Ｆ２は、入力チャンネルがＦ（入力６）で出力チャンネルがＪ（出力２）に対応する押しボタンスイッチである。
【００２１】
即ち、各出力チャンネルボタン群３、５、６を構成する押しボタンスイッチは、特定の入力チャンネルと特定の出力チャンネルを１対１に対応させる唯一無二のスイッチ手段であり、各出力チャンネルボタン群３、５、６を構成する、ある押しボタンスイッチを押下することは、特定の入力チャンネルと特定の出力チャンネルとが当該押しボタンスイッチにより唯一選択されて、特定の映像出力ラインが構築されることを意味する。
【００２２】
また、操作パネル２ａには、他の押しボタンスイッチが多数も設けられており、図１に示すように、出力チャンネルボタン群３、５、６に対して図中下方に、クロスポイント設定ボタン１５が設けられている。更に操作パネル２ａには、図中右方に映像調整パネル２ｂが設けられている。映像調整パネル２ｂには、例えば４個のボタンで構成される、選択ボタン１６と、例えば２個のボタンで構成される、調整ボタン１７が設けられている。
【００２３】
また、マルチシグナルマトリクススイッチャ１には、図２に示すように、入力信号セレクタ７が設けられており、入力信号セレクタ７には、前述の８個の入力チャンネルＡ、Ｂ、Ｃ、Ｄ、Ｅ、Ｆ、Ｇ、Ｈが、ＲＧＢの画像信号用の入力チャンネルとして設けられている。また入力信号セレクタ７には、前述の２４個の出力チャンネルボタン群３、５、６が設けられており、更に入力信号セレクタ７には、３個の信号変換部９Ａ、９Ｂ、９Ｃが接続している。
【００２４】
各信号変換部９Ａ、９Ｂ、９Ｃは、それぞれ取込開始位置補正部２０Ａ、２０Ｂ、２０Ｃを有している。これら各信号変換部９Ａ、９Ｂ、９Ｃには、取込開始位置調整部１０が接続しており、各信号変換部９Ａ、９Ｂ、９Ｃと、取込開始位置調整部１０には、表示位置パラメータデータメモリ１１が接続している。表示位置パラメータデータメモリ１１には、各入力チャンネル毎に、表示位置についての出力映像パラメータ（後述）を格納するための格納領域１１ａが設けられており、各格納領域１１ａは、各入力チャンネルに対応する押しボタンスイッチと対応する形で８個設けられている。図２では、各格納領域１１ａを区別するために、８個の入力チャンネルを区別するための記号として、ＩＮ１、ＩＮ２……ＩＮ８を表示している。例えば、格納領域１１ａのＩＮ１は、出力チャンネルボタン群３、５、６を構成する押しボタンスイッチのうち、入力チャンネル１（Ａ）のＡ１、Ａ２、Ａ３に対応しており、格納領域１１ａのＩＮ２は、入力チャンネル２（Ｂ）のＢ１、Ｂ２、Ｂ３に対応しており、格納領域１１ａのＩＮ３は、入力チャンネル３（Ｃ）のＣ１、Ｃ２、Ｃ３に対応している。
【００２５】
各信号変換部９Ａ、９Ｂ、９Ｃは、図２に示すように、３個の出力チャンネルＩ（出力１）、Ｊ（出力２）、Ｋ（出力３）に接続している。また、入力信号セレクタ７には、クロスポイントセレクトデータ設定部１２が接続しており、クロスポイントセレクトデータ設定部１２には、クロスポイントセレクトデータメモリ１３が接続している。
【００２６】
クロスポイントセレクトデータメモリ１３には、出力チャンネルボタン群３、５、６を構成する各押しボタンスイッチに対応する形で、各押しボタンスイッチの押下状況、即ち、映像出力ラインの構築状態を格納するための格納領域１３ａが２４個設けられている。図２では、各格納領域１３ａを区別するために、８つの入力チャンネルを区別するための記号として、ＩＮ１、ＩＮ２……ＩＮ８を、出力チャンネルを区別するための記号として、ＯＵＴ１、ＯＵＴ２、ＯＵＴ３を組み合わせて、マトリクスとして表示している。例えば、ＩＮ６．ＯＵＴ２は、出力チャンネルボタン群５の押しボタンスイッチＦ２に対応している。
【００２７】
なお、各表示位置パラメータデータメモリ１１及びクロスポイントセレクトデータメモリ１３の各格納領域１１ａ、１３ａの数は任意であり、必要に応じて何個設けられていてもよく、また特にこうした格納領域１１ａ、１３ａを固定的に設けることなく、何らかのフラグを用いてデータ領域を圧縮する形で格納領域１１ａ、１３ａを設けることもできる。
【００２８】
マルチシグナルマトリクススイッチャ１は、以上のような構成を有するので、マルチシグナルマトリクススイッチャ１を用いて、複数の映像入力ソースからの映像を複数の映像出力装置に表示させるプレゼンテーションを行うには、まず、当該プレゼンテーションに先立って、所定の段取り作業を行う。
【００２９】
まず、入力すべき複数の図示しない、画像信号がＲＧＢであるビデオ装置やＰＣ（パーソナルコンピュータ）などの映像入力ソースを、マルチシグナルマトリクススイッチャ１の各入力チャンネルＡ（入力１）、Ｂ（入力２）、Ｃ（入力３）、Ｄ（入力４）、Ｅ（入力５）、Ｆ（入力６）、Ｇ（入力７）、Ｈ（入力８）に接続する。なお、画像信号はＲＧＢ信号に限らず、テレビ放送に用いられるＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）信号や、ハイビジョンに用いられるＨＤＴＶ（Ｈｉｇｈ  Ｄｅｆｉｎｉｔｉｏｎ  Ｔｅｌｅｖｉｓｉｏｎ）信号などを入力できるようにしてもよい。
【００３０】
次に、各出力チャンネルＩ（出力１）、Ｊ（出力２）、Ｋ（出力２）には、不図示のプロジェクタやディスプレイなどの映像出力装置をそれぞれ接続する。この状態で、オペレータは、最初に各映像出力装置で使用する映像入力ソースを、出力チャンネルボタン群３、５、６の各押しボタンスイッチを押下することにより選択し、各映像出力装置を特定の映像入力ソースに関連付けて、映像出力ラインを構築する。
【００３１】
例えば、出力チャンネルＩ（出力１）に接続された映像出力装置で表示すべき映像入力ソースを選択するには、第１出力チャンネルボタン群３を構成する８個の押しボタンスイッチＡ１、Ｂ１、Ｃ１、Ｄ１、Ｅ１、Ｆ１、Ｇ１、Ｈ１のうち、表示すべき映像入力ソースが接続された入力チャンネルに対応する押しボタンスイッチを選択的に押下する。すると、入力信号セレクタ７は、入力チャンネルＡ、Ｂ、Ｃ、Ｄ、Ｅ、Ｆ、Ｇ、Ｈのうち、押下された押しボタンスイッチに対応する入力チャンネルと、出力チャンネルＩ（出力１）を、信号変換部９Ａを介して接続して、押下された押しボタンスイッチに対応した入力チャンネルと出力チャンネルＩ（出力１）からなる、第１の映像出力ラインを構築する。
【００３２】
次に、出力チャンネルＪ（出力２）に接続された映像出力装置で表示すべき映像入力ソースを選択するには、第２出力チャンネルボタン群５を構成する８個の押しボタンスイッチＡ２、Ｂ２、Ｃ２、Ｄ２、Ｅ２、Ｆ２、Ｇ２、Ｈ２のうち、表示すべき映像入力ソースが接続された入力チャンネルに対応する押しボタンスイッチを選択的に押下する。すると、入力信号セレクタ７は、入力チャンネルＡ、Ｂ、Ｃ、Ｄ、Ｅ、Ｆ、Ｇ、Ｈのうち、押下された押しボタンスイッチに対応する入力チャンネルと、出力チャンネルＪ（出力２）を、信号変換部９Ｂを介して接続して、押下された押しボタンスイッチに対応した入力チャンネルと出力チャンネルＪ（出力２）からなる、第２の映像出力ラインを構築する。
【００３３】
次に、出力チャンネルＫ（出力３）に接続された映像出力装置で表示すべき映像入力ソースを選択するには、第３出力チャンネルボタン群６を構成する８個の押しボタンスイッチＡ３、Ｂ３、Ｃ３、Ｄ３、Ｅ３、Ｆ３、Ｇ３、Ｈ３のうち、表示すべき映像入力ソースが接続された入力チャンネルに対応する押しボタンスイッチを選択的に押下する。すると、入力信号セレクタ７は、入力チャンネルＡ、Ｂ、Ｃ、Ｄ、Ｅ、Ｆ、Ｇ、Ｈのうち、押下された押しボタンスイッチに対応する入力チャンネルと、出力チャンネルＫ（出力３）を、信号変換部９Ｃを介して接続して、押下された押しボタンスイッチに対応した入力チャンネルと出力チャンネルＫ（出力３）からなる、第３の映像出力ラインを構築する。
【００３４】
こうすることにより、３つ映像出力装置に対してそれぞれの映像入力ソースが、選択された入力チャンネルを介して関連付けられ、特定の入力チャンネルと特定の出力チャンネルが関連付けられた形の、３つの映像出力ラインが構築される。
【００３５】
また、オペレータが、操作パネル２ａ上のクロスポイント設定ボタン１５を押下すると、クロスポイントセレクトデータ設定部１２が起動される。その状態で、オペレータが出力チャンネルボタン群３、５、６の２４個の押しボタンスイッチのうち、適宜な押しボタンスイッチを押下することにより、クロスポイントセレクトデータ設定部１２は、当該押下された押しボタンスイッチに対応するクロスポイントセレクトデータメモリ１３の格納領域１３ａに、クロスポイント設定ボタン１５が押下された時点の、３つの映像出力ラインの構築状態を格納する。
【００３６】
例えば、出力チャンネルＩ（出力１）に入力チャンネルＣ（入力３）が、出力チャンネルＪ（出力２）に入力チャンネルＨ（入力８）が、出力チャンネルＫ（出力３）に入力チャンネルＡ（入力１）が接続され、出力チャンネルＩ（出力１）／入力チャンネルＣ（入力３）、出力チャンネルＪ（出力２）／入力チャンネルＨ（入力８）、出力チャンネルＫ（出力３）／入力チャンネルＡ（入力１）からなる３つの映像出力ラインを構築する。この状態で、クロスポイント設定ボタン１５が押下され、例えば押しボタンスイッチＤ２が押下された場合には、押しボタンスイッチＤ２に対応した、クロスポイントセレクトデータメモリ１３内の、「ＩＮ４．ＯＵＴ２」なる格納領域１３ａに、上記した３つの映像出力ライン、即ち、「出力チャンネルＩ（出力１）／入力チャンネルＣ（入力３）、出力チャンネルＪ（出力２）／入力チャンネルＨ（入力８）、出力チャンネルＫ（出力３）／入力チャンネルＡ（入力１）」が格納される。
【００３７】
こうして、各出力チャンネルについての映像出力ラインが構築されたところで、オペレータは、映像調整パネル２ｂ上の選択ボタン１６や調整ボタン１７などの入力手段を適宜押下して、画質、画像サイズ、表示位置、出力設定、言語などの出力映像パラメータの設定を行なう。なお、本発明に関する表示位置についての出力映像パラメータの設定については後述する。
【００３８】
出力映像パラメータとしては、画質として、輝度、コントラスト、彩度、色相、シャープネス、ガンマ係数などがあり、画像サイズとして、拡大、縮小などがあり、出力設定として、ＳＶＧＡ、ＸＧＡ、ＳＸＧＡなどの解像度があり、言語として、日本語、英語などがある。これら出力映像パラメータの設定は、不図示のスクリーン上に表示される調整メニューＭＥＮＵにより行なう。
【００３９】
調整メニューＭＥＮＵは、不図示の調整メニュー生成・表示制御部により画像データとして生成され、出力映像パラメータの設定が行なわれている、映像出力ラインの出力チャンネルに接続された映像出力装置の出力画像に表示される。
【００４０】
図３は、オンスクリーンメニューの一例を示している。調整メニューＭＥＮＵには、図３に示すように、図中左方に、各出力映像パラメータに対応する調整項目が表示されたリストボックスＬＢが表示されており、図中上方から、「画質調整」、「サイズ調整」、「位置調整」、「出力設定」、「言語」の調整項目が準備されている。また、図中右方に、オペレータが選択した調整項目に応じた各種の調整バーＡＢが表示されるようになっている。なお、図３では、「位置調整」が選択された状態で、「位置調整」に応じた複数の調整バーＡＢが表示されている。
【００４１】
オペレータは、調整メニューＭＥＮＵを参照しながら、映像調整パネル２ｂ上の選択ボタン１６を押下して、リストボックスＬＢから所定の調整項目を選択し、対応する出力映像パラメータの設定を行なう。例えば、調整項目として「画質調整」を選択すると、「画質調整」に応じて、「輝度」、「コントラスト」、「彩度」、「色相」、「シャープネス」、「ガンマ係数」などの調整バーＡＢが表示される。この状態で選択ボタン１６を押下して、例えば「輝度」の調整バーＡＢを選択すると、オペレータは、映像調整パネル２ｂ上の調整ボタン１７を押下して、上記調整バーＡＢを操作することにより、不図示のスクリーン上に表示される映像の輝度が調整された形で表示される。オペレータは、映像が所定輝度に調整されたところで、適宜な押しボタンスイッチを押下する。すると、当該輝度に応じた画質についての出力映像パラメータが、不図示のメモリに格納され、これにより当該出力映像パラメータが設定されたこととなる。
【００４２】
なお、出力映像パラメータの設定を行う入力手段の一例として、映像調整パネル２ｂ上の調整ボタン１７などを示したが、必ずしもマルチシグナルマトリクススイッチャ１本体から直接入力する必要はなく、外部機器から指令する方式でもよい。例えば、ＲＳ−２３２ＣやＵＳＢ（Ｕｎｉｖｅｒｓａｌ  ＳｅｒｉａｌＢｕｓ）などのシリアル・インターフェースを介して、パソコンなどの外部機器により出力映像パラメータの設定を行うことも可能である。
【００４３】
こうして、オペレータは、画質、画像サイズ、出力設定、言語についての出力映像パラメータを、各映像出力ライン毎に、接続された映像入力ソース及び映像出力装置に対応した形で設定するとと共に、表示位置についての出力映像パラメータ（以下、「表示位置パラメータＤＰ」という）を設定するために、上述と同様に、リストボックスＬＢから「位置調整」を選択して、「位置調整」に対応する調整バーＡＢを表示させる。
【００４４】
ここで、本発明に関する表示位置パラメータＤＰの設定について、図４に沿って説明する。図４は、調整メニューＭＥＮＵが表示された、入力画像ＩＰの取り込み開始位置がずれた出力画像ＯＰの一例を示している。
【００４５】
ところで、映像入力ソース及び映像出力装置により表示される画像は、複数の水平走査線を所定間隔で垂直方向に配列して構成され、更に水平走査線は、複数の画素（ピクセル）を水平方向に配列して構成される。例えば、ＣＲＴ（Ｃａｔｈｏｄｅ−Ｒａｙ  Ｔｕｂｅ）のディスプレイでは、矩形状である画像の左上隅から右方に水平走査が行なわれ、更に上方から下方に垂直走査が行なわれて、画像を表示する。つまり、画像の左上隅が、画像の取り込み及び表示の開始位置となることから、以下の説明では、図４に示す入力画像ＩＰの左上隅を、取り込み開始位置ＳＰＩＰと呼び、また映像出力装置の表示エリアＡＲの左上隅を、表示開始位置ＳＰＡＲと呼ぶ。なお、各入力チャンネルに接続された映像入力ソースが、上記ＣＲＴ以外の表示手段、例えば、液晶パネルやプラズマ表示パネルなどのドットマトリックス・ディスプレイなどである場合も含め、便宜的に入力画像ＩＰの左上隅を取り込み開始位置ＳＰＩＰと呼ぶ。また、出力チャンネルに接続された映像出力装置についても、同様に、便宜的に表示エリアＡＲの左上隅を表示開始位置ＳＰＡＲと呼ぶ。
【００４６】
ここでは、破線枠で示す入力画像ＩＰの取り込み開始位置ＳＰＩＰが、図４に示すように、実線枠で示す映像出力装置の表示エリアＡＲの表示開始位置ＳＰＡＲに対して、水平方向のずれ量ＬＨ、及び垂直方向のずれ量ＬＶだけ、図中右下方にずれているとする。つまり、一点鎖線で示す出力画像ＯＰは、入力画像ＩＰのうち図４に示す斜線部分が欠けた状態で、表示されているとする。また、映像出力ラインは、入力チャンネルＡ（入力１）と、出力チャンネルＩ（出力１）が接続された状態にあるとする。
【００４７】
オペレータは、斜線部分が欠けた出力画像ＯＰを見ながら、入力画像ＩＰが表示エリアＡＲに一致するように、つまり、取り込み開始位置ＳＰＩＰと表示開始位置ＳＰＡＲが一致するように、調整メニューＭＥＮＵ内の「開始ピクセル」及び「開始ライン」の調整バーＡＢを適宜操作して、入力チャンネルＡ（入力１）における表示位置パラメータＤＰの設定を行なう。
【００４８】
表示位置パラメータＤＰとしては、図４に示す入力画像ＩＰの水平座標に相当する、ピクセル数（以下、「開始ピクセル数ＮＨ」という。）と、入力画像ＩＰの垂直座標に相当する、水平走査線数（以下、「開始水平走査線数ＮＶ」という。）がある。これらの表示位置パラメータＤＰは、それぞれ、「開始ピクセル」の調整バーＡＢ、「開始ライン」の調整バーＡＢにより個別に調整される。これらの調整バーＡＢの操作に特定の順番はないが、以下の説明では、「開始ピクセル」の調整バーＡＢの操作が完了した後に、「開始ライン」の調整バーＡＢの操作を行なうように説明する。
【００４９】
なお、開始ピクセル数ＮＨ及び開始水平走査線数ＮＶを個別に調整する、調整バーＡＢを設けることなく、マウスやトラックパッドのポインティング・デバイスなどにより、開始ピクセル数ＮＨ及び開始水平走査線数ＮＶを一括に調整することも可能である。
【００５０】
オペレータは、まず、映像調整パネル２ｂ上の選択ボタン１６を押下して、「開始ピクセル」の調整バーＡＢを選択し、更に、入力画像ＩＰを所定量図４中左方に移動するように、映像調整パネル２ｂ上の調整ボタン１７を押下して、「開始ピクセル」の調整バーＡＢを操作する。すると、図２に示す取込開始位置調整部１０は、調整ボタン１７からの所定押下回数と指示方向を検知し、これに応じて現在の開始ピクセル数ＮＨ（例えばデフォルト値）を調整する。
【００５１】
ところで、取込開始位置調整部１０には、調整ボタン１７による１回の押下当たりのピクセル数が予め設定されており、また指示方向に対して、現在の開始ピクセル数ＮＨに、該押下回数に応じて積算されたピクセル数を、加算又は減算するように設定されている。即ち、指示方向が図４中左方の場合、つまり入力画像ＩＰの取り込み開始位置ＳＰＩＰを水平方向に早める場合、現在の開始ピクセル数ＮＨに、該積算されたピクセル数を減算する。逆に、指示方向が図４中右方の場合、つまり入力画像ＩＰの取り込み開始位置ＳＰＩＰを水平方向に遅らせる場合、現在の開始ピクセル数ＮＨに、該積算されたピクセル数を加算する。
【００５２】
従って、取込開始位置調整部１０は、オペレータによる上記所定押下回数に応じてピクセル数を積算すると共に、上記指示方向が入力画像ＩＰを図４中左方に移動させる方向なので、現在の開始ピクセル数ＮＨに該積算されたピクセル数を減算するように、開始ピクセル数ＮＨを調整する。
【００５３】
こうして、調整された開始ピクセル数ＮＨの演算が完了すると、取込開始位置調整部１０は、信号変換部９Ａに上記調整された開始ピクセル数ＮＨを出力する。信号変換部９Ａは、出力チャンネルＩ（出力１）に接続される映像出力装置の水平同期周波数（水平方向に表示される毎秒あたりのピクセル数）を常に検知しており、当該信号変換部９Ａ内の取込開始位置補正部２０Ａは、該検知した水平同期周波数に基づいて、上記調整された開始ピクセル数ＮＨに応じたクロック数を演算する。そして取込開始位置補正部２０Ａが、取り込み開始位置ＳＰＩＰを水平方向に該演算したクロック数だけ早めることにより、信号変換部９Ａは、入力画像ＩＰを図４中左方に移動させた形で、出力画像ＯＰを表示エリアＡＲに表示する。
【００５４】
オペレータは、入力画像ＩＰが図４中左方に所定量移動された出力画像ＯＰを見て、その移動量が水平方向のずれ量ＬＨより少ないと認識した場合は、更に上述した操作を繰り返すこととなる。一方、上記移動量が水平方向のずれ量ＬＨより大きいと認識した場合は、つまり、入力画像ＩＰが表示エリアＡＲから図中左方にずれた場合、オペレータは、入力画像ＩＰを、上述とは逆に図４中右方に移動するように操作することとなる。
【００５５】
即ち、オペレータは、指示方向を図４中右方として、映像調整パネル２ｂ上の調整ボタン１７を押下する。すると取込開始位置調整部１０は、該指示方向に応じて、上記調整された開始ピクセル数ＮＨに所定ピクセル数を上述とは逆に加算するように、開始ピクセル数ＮＨを調整し、該演算結果を信号変換部９Ａに出力する。信号変換部９Ａ内の取込開始位置補正部２０Ａは、該演算結果に応じたクロック数を演算し、取り込み開始位置ＳＰＩＰを、水平方向に該演算したクロック数だけ遅らせることにより、信号変換部９Ａは、入力画像ＩＰを図４中右方に（つまり逆方向に）移動させた形で、出力画像ＯＰを表示エリアＡＲに表示する。
【００５６】
こうして、オペレータは、入力画像ＩＰが水平方向において表示エリアＡＲ内に収まるまで、上述した操作を繰り返す。そして、入力画像ＩＰが表示エリアＡＲの図４中左右方向に収まったところで、オペレータは、調整ボタン１７による「開始ピクセル」の調整バーＡＢの操作を終了する。
【００５７】
次いで、オペレータは、開始ライン数ＮＶの調整を行なうため、選択ボタン１６を押下して、「開始ライン」の調整バーＡＢを選択する。そして、入力画像ＩＰを所定量図４中上方に移動するように、調整ボタン１７を押下して、「開始ライン」の調整バーＡＢを操作する。すると取込開始位置調整部１０は、上述した開始ピクセル数ＮＨの調整と同様に、調整ボタン１７からの所定押下回数と指示方向を検知し、これに応じて現在の開始ライン数ＮＶ（例えばデフォルト値）を調整する。即ち、取込開始位置調整部１０は、所定押下回数に応じて水平走査線数を積算すると共に、指示方向が入力画像ＩＰを図４中上方に移動させる方向なので、現在の開始ライン数ＮＶに該積算された水平走査線数を減算するように、開始ライン数ＮＶを調整し、演算結果を信号変換部９Ａに出力する。
【００５８】
信号変換部９Ａは、上述した水平同期周波数と同様に、出力チャンネルＩ（出力１）に接続される映像出力装置の垂直同期周波数（垂直方向に表示される毎秒あたりの水平走査線数）を常に検知しており、信号変換部９Ａ内の取込開始位置補正部２０Ａは、該垂直同期周波数に基づいて、上記調整された開始ライン数ＮＶに応じたクロック数を演算する。そして取込開始位置補正部２０Ａが、取り込み開始位置ＳＰＩＰを垂直方向に該演算したクロック数だけ早めることにより、信号変換部９Ａは、入力画像ＩＰを図４中上方に移動させた形で、出力画像ＯＰを表示エリアＡＲに表示する。
【００５９】
オペレータは、入力画像ＩＰが垂直方向に所定量移動された出力画像ＯＰを見て、その移動量が垂直方向のずれ量ＬＶより少ないと認識した場合は、更に上述した操作を繰り返す。一方、上記移動量が垂直方向のずれ量ＬＶより大きいと認識した場合は、上述とは逆に、指示方向を図４中下方として調整ボタン１７を押下する。すると取込開始位置調整部１０は、該指示方向に応じて、上記調整された開始ライン数ＮＶに所定水平走査線数を上述とは逆に加算するように、開始ライン数ＮＶを調整し、該演算結果を信号変換部９Ａに出力する。信号変換部９Ａ内の取込開始位置補正部２０Ａは、該演算結果に応じたクロック数を演算し、取り込み開始位置ＳＰＩＰを垂直方向に該クロック数だけ遅らせることにより、信号変換部９Ａは、入力画像ＩＰを図４中下方に（つまり逆方向に）移動させた形で、出力画像ＯＰを表示エリアＡＲに表示する。
【００６０】
こうして、オペレータは、入力画像ＩＰが垂直方向において表示エリアＡＲ内に収まるまで、上述した操作を繰り返す。そして、入力画像ＩＰが図４中上下方向に表示エリアＡＲに収まったところで、つまり、表示開始位置ＳＰＡＲと取り込み開始位置ＳＰＩＰが略一致したところで、オペレータは、調整ボタン１７による「開始ライン」の調整バーＡＢの操作を終了する。これにより、水平方向と垂直方向のずれ量ＬＨ、ＬＶが０となり、入力画像ＩＰが表示エリアＡＲと略一致して、出力画像ＯＰは、表示すべき入力画像ＩＰ全体が表示エリアＡＲに表示された状態となる。
【００６１】
この状態で、オペレータは、映像調整パネル２ｂ上の所定押しボタンスイッチを押下する。すると、取込開始位置調整部１０は、表示位置パラメータデータメモリ１１の対応する格納領域１１ａのうち、入力チャンネルＡ（入力１）に対応するＩＮ１に、「開始ピクセル」の調整バーＡＢの操作が終了した時点での開始ピクセル数ＮＨと、「開始ライン」の調整バーＡＢの操作が終了した時点での開始水平走査線数ＮＶを、入力チャンネルＡ（入力１）における表示位置パラメータＤＰとして格納する。これにより、入力チャンネルＡ（入力１）における表示位置パラメータＤＰの設定が完了する。
【００６２】
表示位置パラメータデータメモリ１１には、既に述べたように、入力チャンネル毎に（この場合、８個）、表示位置パラメータＤＰを格納する格納領域１１ａが設けられているので、全ての入力チャンネルに関して、表示位置パラメータＤＰを格納しておくことが出来るが、必ずしも全ての入力チャンネルについて上記設定を行なう必要はない。例えば、プレゼンテーションにおいて設定する映像出力ラインの入力チャンネルついてにのみ、取込開始位置補正部２０Ａ、２０Ｂ、２０Ｃにより表示位置パラメータＤＰの設定を行なってもよい。
【００６３】
こうして、表示位置パラメータＤＰの設定が完了したところで、オペレータは、必要がある場合には、更なる映像出力ラインの構築を行う。この場合でも、既に述べたように、新たに構築された複数の映像出力ライン、即ち入力チャンネルと出力チャンネルの組み合わせは、クロスポイントセレクトデータ設定部１２により、出力チャンネルボタン群を構成する任意の押しボタンスイッチに対応したクロスポイントセレクトデータメモリ１３の格納領域１３ａに格納される。また、オペレータは、新たに構築された複数の映像出力ラインの入力チャンネルについて、上述した表示位置パラメータＤＰの設定を行なうが、既にその設定が行なわれている入力チャンネルについては、再度の設定は必要ない。
【００６４】
そして、全ての設定が終了したところで、マルチシグナルマトリクススイッチャ１を使用した、プレゼンテーション本番にはいるが、オペレータはまず、最初に使用する映像出力ラインの組み合わせを再現するために、自己が記憶させた出力チャンネルボタン群３、５、６中の特定の押しボタンスイッチを押下する。すると、クロスポイントセレクトデータ設定部１２は、押下された押しボタンスイッチに対応するクロスポイントセレクトデータメモリ１３の格納領域１３ａから、オペレータにより予め設定格納された映像出力ラインの組み合わせを呼び出し、入力信号セレクタ７の接続状態を、当該映像出力ラインの組み合わせに基づいて設定するように制御する。これにより、ワンタッチで、複数の映像出力ラインが設定される。
【００６５】
複数の映像出力ラインが設定されると、設定された映像出力ラインの、入力チャンネルと出力チャンネルの組み合わせから、所定メモリから、既にオペレータにより調整済みの出力映像パラメータが読み出され、当該出力映像パラメータに基づいて、映像出力装置の出力画像が調整される。
【００６６】
ところで、各取込開始位置補正部２０Ａ、２０Ｂ、２０Ｃは、それぞれ不図示の対応入力チャンネル検知部を有しており、これら対応入力チャンネル検知部は、現在構築されている映像出力ラインを構成する各入力チャンネルを検知する。従って、各対応入力チャンネル検知部は、上記クロスポイントセレクトデータ設定部１２により設定された入力信号セレクタ７の接続状態から、映像出力ラインを構成する各出力チャンネルに接続された入力チャンネルを検知する。すると各取込開始位置補正部２０Ａ、２０Ｂ、２０Ｃは、該検知された各入力チャンネルに対応した、表示位置パラメータデータメモリ１１の格納領域１１ａから、既にオペレータにより調整済みの表示位置パラメータＤＰである、開始ピクセル数ＮＨ及び開始水平走査線数ＮＶを読み出して、当該表示位置パラメータＤＰに基づいて、入力画像ＩＰの取り込み開始位置ＳＰＩＰを補正する。
【００６７】
例えば、映像出力ラインとして、出力チャンネルＩ（出力１）／入力チャンネルＣ（入力３）、出力チャンネルＪ（出力２）／入力チャンネルＨ（入力８）、出力チャンネルＫ（出力３）／入力チャンネルＡ（入力１）の３つが設定されているとする。この状態で、不図示の対応入力チャンネル検知部は、入力信号セレクタ７の接続状態から該映像出力ラインの各入力チャンネルＣ（入力３）、Ｈ（入力８）、Ａ（入力１）を検知する。すると各取込開始位置補正部２０Ａ、２０Ｂ、２０Ｃは、該検知した各入力チャンネルに対応する、表示位置パラメータデータメモリ１１内の、ＩＮ３、ＩＮ８、ＩＮ１なる各格納領域１１ａから、各開始ピクセル数ＮＨ及び開始水平走査線数ＮＶを読み出す。そして、それぞれの出力チャンネルＩ（出力１）、Ｊ（出力２）、Ｋ（出力３）に接続された、映像出力装置の水平同期周波数及び垂直同期周波数に基づいて、該読み出した開始ピクセル数ＮＨ及び開始水平走査線数ＮＶに応じた各クロック数を演算する。
【００６８】
こうして、各取込開始位置補正部２０Ａ、２０Ｂ、２０Ｃは、各入力画像ＩＰの取り込み開始位置ＳＰＩＰを、該演算されたクロック数だけ時間的に前後させるように補正し、各信号変換部９Ａ、９Ｂ、９Ｃは、取り込み開始位置ＳＰＩＰが補正された各入力画像ＩＰをそれぞれ各出力チャンネルＩ、Ｊ、Ｋに接続された映像出力装置の画像信号に適合するようにスキャンコンバータを行ない、各出力画像ＯＰを表示する。これにより、各入力チャンネルＣ、Ｈ、Ａにおける入力画像ＩＰは、表示エリアＡＲと一致し、各出力チャンネルＩ、Ｊ、Ｋにおける出力画像ＯＰは、表示すべき入力画像ＩＰの全体が直ち表示エリアＡＲに表示されることとなる。
【００６９】
なお、表示位置パラメータＤＰを、入力チャンネル毎に格納する例を示したが、他の出力映像パラメータと同様に、映像出力ライン毎に格納してもよい。即ち、各出力チャンネルに接続された映像出力装置の水平同期周波数及び垂直同期周波数に応じたクロック数を予め演算して、各映像出力ライン毎に格納しておくことにより、取込開始位置補正部２０Ａ、２０Ｂ、２０Ｃによるクロック数の演算などに時間を要す場合であっても、スムーズな映像表現が可能となり、効果的なプレゼンテーションを実現することが出来る。
【００７０】
この状態で、各映像出力ラインを用いて、対応する入力チャンネルに接続された入力ソースから画像信号を出力し、所定の映像を各映像出力装置に表示して行くが、映像出力ラインの組み合わせを変更する場合には、オペレータは、変更すべき映像出力ラインの組み合わせをクロスポイントセレクトデータメモリ１３に格納する際に、押下した出力チャンネルボタン群の対応する押しボタンスイッチを押下するだけで、当該押しボタンスイッチに対応するクロスポイントセレクトデータメモリ１３内の格納領域１３ａに格納された映像出力ラインの組み合わせが読み出され、入力信号セレクタ７により直ちに設定される。同時に、新たに設定された各映像出力ラインの入力チャンネルの開始ピクセル数ＮＨ及び開始水平走査線数ＮＶが、表示位置パラメータデータメモリ１１の対応する格納領域１１ａから読み出され、各取込開始位置補正部２０Ａ、２０Ｂ、２０Ｃにより、直ちに各入力画像ＩＰの取り込み開始位置ＳＰＩＰが補正される。
【００７１】
その結果、映像出力ラインの組み合わせの変更により、映像入力ソースが接続された入力チャンネルを切り替える場合であっても、入力画像ＩＰの取り込み開始位置ＳＰＩＰを入力チャンネル毎に１度調整することにより、再度の調整の必要がなくなる。これにより、入力画像ＩＰの取り込み開始位置ＳＰＩＰを調整する操作が極めて容易となると共に、スムーズな映像表現が可能となり、より効果的なプレゼンテーションを実現することが出来る。
【００７２】
また、ＰＣ（パーソナルコンピュータ）などから入力されるＲＧＢ信号にあっては、例えばＧＵＩ（Ｇｒａｐｈｉｃａｌ  Ｕｓｅｒ  Ｉｎｔｅｒｆａｃｅ）としてアイコンやメニューバーなどの、画像の隅に表示される重要な情報も確実に表示されるので、更に効果的なプレゼンテーションを実現することが出来る。
【図面の簡単な説明】
【図１】図１は、本発明が適用される、マルチシグナルマトリクススイッチャの一例を示す外観図である。
【図２】図２は、マルチシグナルマトリクススイッチャの回路構成の一例を示すブロック図である。
【図３】図３は、オンスクリーンメニューの一例を示す図である。
【図４】図４は、調整メニューが表示された、入力画像の取り込み開始位置がずれた出力画像の一例を示す図である。
【図５】図５は、入力画像の取り込み開始位置がずれた出力画像の一例を示す図である。
【符号の説明】
１……マルチシグナルマトリクススイッチャ
７……スイッチング手段（入力信号セレクタ）
１０……取り込み開始位置調整手段（取込開始位置調整部）
１１……表示位置パラメータ格納手段（表示位置パラメータデータメモリ）
１７……入力手段（調整ボタン）
２０Ａ、２０Ｂ、２０Ｃ……対応入力チャンネルパラメータ読み出し手段、取り込み開始位置補正手段、対応入力チャンネル検知手段（取込開始位置補正部）
Ａ、Ｂ、Ｃ、Ｄ、Ｅ、Ｆ、Ｇ、Ｈ……入力チャンネル
ＡＲ……出力画像の表示エリア
ＤＰ……表示位置パラメータ
Ｉ、Ｊ、Ｋ……出力チャンネル
ＩＰ……入力画像
ＭＥＮＵ……調整メニュー画像（調整メニュー）
ＮＨ……水平座標についての補正量（開始ピクセル数）
ＮＶ……垂直座標についての補正量（開始水平走査線数）
ＳＰＩＰ……入力画像の取り込み開始位置
【図１】
2004254172.tif 000003
【図２】
2004254172.tif 000004
【図３】
2004254172.tif 000005
【図４】
2004254172.tif 000006
【図５】
2004254172.tif 000007